(57)【要約】【課題】男性用尿取りパッドを使用するときに、睾丸や股間の局部が汗で蒸れないようにすることである。【解決手段】陰茎Ａを収納するように袋状に形成した尿取りパッド１の、睾丸Ｂに当接する側の外側面に汗を吸収する生理ナプキン１１を貼付することにより、尿取りパッド１の外面側の不透液性シート２が当接される睾丸Ｂや股間の局部での発汗を生理ナプキン１１で吸収して、睾丸Ｂや股間の局部が汗で蒸れないようにした。【選択図】図１
2010035691.tif 000002
【特許請求の範囲】
【請求項１】
外面側の不透液性シートと内面側の透液性シートの間に尿を吸収するコア層を設けた尿取りパッドを袋状または筒状に形成して、その内部に陰茎を収納するようにした男性用尿取りパッドにおいて、前記陰茎を収納するように袋状または筒状に形成した尿取りパッドの、睾丸に当接する側の外側面に汗を吸収する吸汗部材を設けたことを特徴とする男性用尿取りパッド。
【請求項２】
前記吸汗部材を、前記尿取りパッドの外側面に貼着される女性用の生理ナプキンとした請求項１に記載の男性用尿取りパッド。
【発明の詳細な説明】
【技術分野】
【０００１】
本発明は、男性用尿取りパッドに関する。
【背景技術】
【０００２】
寝たきりの老人男性や尿漏れする男性が使用する男性用尿取りパッドは、外面側の不透液性シートと内面側の透液性シートの間に尿を吸収するコア層を設けた尿取りパッドを袋状または筒状に形成して、その内部に陰茎を収納するようにしたものが多い（例えば、特許文献１、２参照）。
【０００３】
特許文献１に記載されたものは、尿取りパッドを予め先端が閉塞された筒状に形成し、その内部に陰茎を収納するようにしている。また、特許文献２に記載されたものは、矩形のシート状とされた尿取りパッドを両側から重ね合わせるように折り畳んで、先細りの袋状に形成し、その内部に陰茎を収納するようにしている。
【０００４】
【特許文献１】特開平８−５２１６９号公報
【特許文献２】特開２００４−５７５７８号公報
【発明の開示】
【発明が解決しようとする課題】
【０００５】
特許文献１、２に記載された従来の男性用尿取りパッドは、袋状や筒状に形成された尿取りパッドの外面側の不透液性シートが睾丸や股間の局部を覆うように当接され、不透液性シートを形成するプラスチックフィルム等は通気性が悪いので、睾丸や股間の局部が汗で蒸れる問題がある。特に、寝たきりの老人男性の場合は、動きが少なく、尿取りパッドの不透液性シートが上から覆いかぶさるように当接されるので、汗による蒸れが生じやすい。このような汗による蒸れは、使用者に不快感を与えるのみでなく、癬菌等の菌の繁殖を助長したり、皮膚に炎症を起こさせたりする恐れもある。
【０００６】
そこで、本発明の課題は、男性用尿取りパッドを使用するときに、睾丸や股間の局部が汗で蒸れないようにすることである。
【課題を解決するための手段】
【０００７】
上記の課題を解決するために、本発明は、外面側の不透液性シートと内面側の透液性シートの間に尿を吸収するコア層を設けた尿取りパッドを袋状または筒状に形成して、その内部に陰茎を収納するようにした男性用尿取りパッドにおいて、前記陰茎を収納するように袋状または筒状に形成した尿取りパッドの、睾丸に当接する側の外側面に汗を吸収する吸汗部材を設けた構成を採用した。
【０００８】
すなわち、陰茎を収納するように袋状または筒状に形成した尿取りパッドの、睾丸に当接する側の外側面に汗を吸収する吸汗部材を設けることにより、尿取りパッドの外面側の不透液性シートが当接される睾丸や股間の局部での発汗を吸汗部材で吸収して、睾丸や股間の局部が汗で蒸れないようにした。
【０００９】
前記吸汗部材を、前記尿取りパッドの外側面に貼着される女性用の生理ナプキンとすることにより、従来の男性用尿取りパッドを利用して、簡単に吸汗部材を設けることができる。
【発明の効果】
【００１０】
本発明の男性用尿取りパッドは、陰茎を収納するように袋状または筒状に形成した尿取りパッドの、睾丸に当接する側の外側面に汗を吸収する吸汗部材を設けたので、尿取りパッドの外面側の不透液性シートが当接される睾丸や股間の局部が汗で蒸れないようにすることができる。
【００１１】
前記吸汗部材を、尿取りパッドの外側面に貼着される女性用の生理ナプキンとすることにより、従来の男性用尿取りパッドを利用して、簡単に吸汗部材を設けることができる。
【発明を実施するための最良の形態】
【００１２】
以下、図面に基づき、本発明の実施形態を説明する。この男性用尿取りパッドは、図１に示すように、外面側の不透液性シート２と内面側の透液性シート３の間に尿を吸収するコア層４を設けた尿取りパッド１を袋状に形成して、その内部に陰茎Ａを収納するようにし、睾丸Ｂに当接する側の不透液性シート２の外側面に、吸汗部材としての女性用の生理ナプキン１１を貼付したものである。
【００１３】
図１は、寝たきりの老人男性が使用している状態を示すが、尿取りパッド１の外面側の不透液性シート２が、睾丸Ｂと股間の局部に上から覆いかぶさるように当接されており、これらの部位で発汗する汗が、不透液性シート２の外側面に貼付された生理ナプキン１１で吸収される。
【００１４】
前記尿取りパッド１は、図２に示すように、矩形のシート状とされ、内面側の対向する上下の長辺に沿う部位に収縮可能なギャザー５が設けられ、外面側の左側下部と右側中央部に両面接着テープ６ａ、６ｂが設けられている。
【００１５】
図３は、前記尿取りパッド１を折り畳んで袋状に形成した状態を示す。尿取りパッド１は、図２に一点鎖線で示した２本の折り畳み線７に沿って、両面接着テープ６ａが設けられた左側を内側とするように、左右両側から重ね合わせるように折り畳まれ、重ね合わされた左右の折り畳み部が両面接着テープ６ａで接着されて、先細りの袋状に形成される。このとき、先細りの先端側はギャザー５によって閉塞され、外側に重ね合わされた右側の折り畳み部の表面に来る両面接着テープ６ｂによって、おむつやパンツ等の内側に接着固定される。
【００１６】
前記生理ナプキン１１は、図４に示すように、外面側の不透液性シート１２と内面側の透液性シート１３の間に、液吸収層１４を設けたものであり、中央部の幅が少し狭い短帯状とされ、不透液性シート１２の外面に粘着剤（図示省略）が塗布されて、離型紙１５が貼付されている。
【００１７】
図５は、前記生理ナプキン１１を、前記袋状に形成した尿取りパッド１の外側面に貼付した状態を示す。離型紙１５を除去された生理ナプキン１１は、おむつやパンツ等に接着される両面接着テープ６ｂと反対側の外側面に横向きに貼付されている。したがって、図１に示したように、吸汗性の優れた生理ナプキン１１が、不透液性シート２が覆いかぶさる睾丸Ｂや股間の局部に当接され、これらの部位で発汗する汗を吸収して、蒸れを防止する。
【００１８】
上述した実施形態では、尿取りパッドの外面側に設ける吸汗部材を、尿取りパッドの外面側に貼付される生理ナプキンとしたが、吸汗部材は吸汗性の優れたものであればよく、生理ナプキンに限定されることはない。また、吸汗部材を予め尿取りパッドの外面側に組み込むこともできる。
【００１９】
また、上述した実施形態では、尿取りパッドの外側面に１枚の生理ナプキンを横向きに貼付したが、縦向きや斜め向き等に貼付することもでき、必要に応じて２枚以上の生理ナプキンを貼付することもできる。
【００２０】
さらに、上述した実施形態では、シート状の尿取りパッドを両側から折り畳んで先細りの袋状に形成したが、袋状に折り畳む形態は実施形態のものに限定されることはなく、例えば、２つ折に折り畳んで袋状としたものとすることもできる。また、予め、袋状や筒状に形成したものとすることもできる。
【図面の簡単な説明】
【００２１】
【図１】男性用尿取りパッドの実施形態を示す縦断面図
【図２】図１の尿取りパッドを示す一部切欠き平面図
【図３】図２の尿取りパッドを袋状に形成した状態を示す正面図
【図４】図１の生理ナプキンを示す一部切欠き平面図
【図５】図３の袋状に形成した尿取りパッドに生理ナプキンを貼付した状態を示す背面図
【符号の説明】
【００２２】
１  尿取りパッド
２  不透液性シート
３  透液性シート
４  コア層
５  ギャザー
６ａ、６ｂ  両面接着テープ
７  折り畳み線
１１  生理ナプキン
１２  不透液性シート
１３  透液性シート
１４  液吸収層
１５  離型紙
【図１】
2010035691.tif 000003
【図２】
2010035691.tif 000004
【図３】
2010035691.tif 000005
【図４】
2010035691.tif 000006
【図５】
2010035691.tif 000007